(57)【特許請求の範囲】
【請求項１】
傾斜配置された一対の平行な側板の上部に、予め鋸歯状に切り欠くことによって段状に形成された水平面と鉛直面のうち、前記水平面に対して、仮設階段の踏板部として使用可能に固定される踏板下地と、
下部前面に切り欠きが形成され、前記鉛直面に対して、仮設階段の蹴込部として使用可能で、上下に隣接する前記踏板下地の間に、前記切り欠きに前記踏板下地の後面側が嵌め込まれて前記踏板下地と一体的に強固に固定され、前記踏板下地と完全一体化された蹴込板下地と、
前記踏板下地の上面に重ね合わされ固定される踏板化粧材と、及び、
前記蹴込板下地の前面に重ね合わされ固定される蹴込板化粧材からなることを特徴とする仮設兼用階段。
【請求項２】
前記蹴込板下地の横幅を、前記踏板下地の横幅よりも狭くし、前記蹴込板下地の左右両側又は左右一方側に手を入れることが可能な空間を形成したことを特徴とする請求項１に記載の仮設兼用階段。
【請求項３】
前記蹴込板下地を、前記踏板下地の略中央部に設けたことを特徴とする請求項１又は２に記載の仮設兼用階段。
【請求項４】
仮設階段設置時には、傾斜配置された一対の平行な側板の上部に、予め鋸歯状に切り欠くことによって段状に形成された水平面と鉛直面のうち、前記水平面に対して、踏板下地を固定するとともに、前記鉛直面に対して、上下に隣接する前記踏板下地の間に、下部前面に切り欠きが形成された蹴込板下地のその切り欠きに前記踏板下地の後面側を嵌め込んで前記踏板下地と一体的に強固に固定し前記踏板下地と前記蹴込板下地を完全一体化させ、
階段設置時には、踏板化粧材を前記踏板下地の上面に重ね合わせて固定するとともに、蹴込板化粧材を前記蹴込板下地の前面に重ね合わせて固定することを特徴とする仮設兼用階段の施工方法。
【請求項５】
前記踏板下地の後端部に前記蹴込板下地の下端部を固定して略Ｌ字状にした踏板・蹴込ユニットを予め複数製作し、前記仮設階段設置時、前記踏板・蹴込ユニットを階段の下方から上方に順次、組付けるようにして施工することを特徴とする請求項４に記載の仮設兼用階段の施工方法。
【発明の詳細な説明】
【技術分野】
【０００１】
本発明は、建物、特に住宅の仮設兼用階段及びその施工方法に関するものである。
【背景技術】
【０００２】
木造住宅に使用される階段の多くは、柱・梁・桁その他の構造体同様、加工の容易な木製が大半を占める。
木製階段には大きく分けて箱型階段、雛壇階段、露出型階段等があるが、特に雛壇階段と称される階段は、下階から上階へ斜めに掛け渡した２本の鋸歯状のささら桁（側板）の水平面上に踏板を載置して上面から釘や木ネジ等で固定するとともに、鉛直面に蹴込板を同じく釘や木ネジ等で固定されてなるものである。この構造は、施工が簡単であるために、近年広く使用されるようになって来た。
【０００３】
このうち、蹴込板１１は、その上端部が、図４に示すように、上側の踏板１０の下面に形成された溝１０Ｚに嵌め込まれ、蹴込板１１の下側は、釘Ｎなどで下側の踏板１０の後端に固定されるが、踏板１０については２５〜３５ｍｍ（ミリメートル）で厚い板を用い釘・接着剤併用で強固に固定されるのに対して、蹴込板１１は厚さが４〜６ｍｍ（ミリメートル）程度と薄いものが使用され、固定用の釘Ｎも丸釘と称される保持力に劣るものが一枚の蹴込板１１に数本使用される程度であるので、図５に示したように、階段を昇降する際に、軋み音が発生するといった問題がある。
この軋み音は、歩行者１００等の荷重によって踏板１０に撓み１５が発生し、蹴込板１１の上端部と踏板１０の下面に形成された溝１０Ｚとが擦れることが原因で発生したり、蹴込板１１と踏板１０とが、一応、釘Ｎで固定されているものの、蹴込板１１の化粧面（表面）には既に塗装１６が介在しているために接着剤（図示せず）の効力が半減し固定不十分となって擦れることが原因で発生したり、あるいは、蹴込板１１の厚さが４〜６ｍｍ（ミリメートル）程度と薄いことから容易に座屈１７が生じてしまうことが原因で発生するものと考えられる。
【０００４】
このような軋み音を解消するためには多くの改良が行われてきた。軋み音を減少させるには、踏板１０を厚く剛性の高い材料にすれば可能だが、木質材料なので、その厚さを１００ｍｍ（ミリメートル）程度にすることは現実的では無い。
これに対して、図６に示されるように、蹴込板１１の上下に隙間１８を設け、その隙間１８を隠蔽材１９で隠すことで踏板１０と蹴込板１１とを絶縁し、踏板１０の撓みを吸収する場所を設けるようにしたものが知られている（特許文献１）。
この構造であれば、踏板１０の撓みが蹴込板１１に作用しないので、擦れ等の発生が防止されるが、これまで幾分かは蹴込板１１が負担してきた荷重の全てを踏板１０が負担することになるので、軋み音の発生が減少するかわりに踏板１０の撓みが一段と増えてしまうので階段としての強度が低下してしまう。
【０００５】
また、このような階段の施工に関しては、図７に示したように、身長１７０ｃｍ（センチメートル）の標準的な作業員２００を考えた場合、高さ１．５ｍ（メートル）となる６〜７段目）程度は、通常の姿勢で問題なく施工可能であるが、低い位置（１〜３段目）では奥の方に屈みこむような姿勢での作業を強いられる。一方、高い位置（７〜８段目以上）では、狭い空間に脚立２０１を持ち込んで、脚立２０１に載った不安定な姿勢での作業を強いられる。
このような狭い空間での作業は、脚立等の搬入の他に、作業灯の設置やコンプレッサーの高圧ホース引き回し等、一般居室には見られない困難さがある。
基本的に階段表面からの作業を可能にした技術も知られているが（特許文献２、３）、一部は階段裏面からの作業が必要なので不完全である。
【０００６】
また、このような雛壇階段の構造において、段ボールや合板などの養生材を使用することなく、住宅を新築するときなどに仮設階段として利用しうる兼用階段が知られている（特許文献４）。
しかし、従来の仮設兼用階段は、仮設階段設置時には踏板部として使用可能に水平に固定される下地材と、ささら桁（側板）の水平面と鉛直面とが交差する部分を切り欠き、その切り欠いた部分に固定される架橋材からなり、蹴込板に相当するものはないので、階段の強度に関して十分ではない場合がある。
【先行技術文献】
【特許文献】
【０００７】
【特許文献１】特開平０８−２６０６４０号公報
【特許文献２】特開平０９−２４２２８７号公報
【特許文献３】実公平０７−００７４６１号公報
【特許文献４】特許第４２４４２６３号公報
【発明の概要】
【発明が解決しようとする課題】
【０００８】
そこで、本発明の目的とするところは、強度に優れるとともに軋み音を解消することができしかも作業性に優れた仮設兼用階段及びその施工方法を提供することにある。
【課題を解決するための手段】
【０００９】
上記の目的を達成するために、本発明の請求項１に記載の仮設兼用階段は、傾斜配置された一対の平行な側板（５０，５０）の上部に、予め鋸歯状に切り欠くことによって段状に形成された水平面（５０ａ）と鉛直面（５０ｂ）のうち、前記水平面（５０ａ）に対して、仮設階段の踏板部として使用可能に固定される踏板下地（５１）と、
下部前面に切り欠き（５３ｍ）が形成され、前記鉛直面（５０ｂ）に対して、仮設階段の蹴込部として使用可能で、上下に隣接する前記踏板下地（５１，５１）の間に、前記切り欠き（５３ｍ）に前記踏板下地（５１）の後面側が嵌め込まれて前記踏板下地（５１）と一体的に強固に固定され、前記踏板下地（５１）と完全一体化された蹴込板下地（５３）と、
前記踏板下地（５１）の上面に重ね合わされ固定される踏板化粧材（５２）と、及び、
前記蹴込板下地（５３）の前面に重ね合わされ固定される蹴込板化粧材（５５）からなることを特徴とする。
【００１０】
また、請求項２に係る発明は、前記蹴込板下地（５３）の横幅を、前記踏板下地（５１）の横幅よりも狭くし、前記蹴込板下地（５３）の左右両側又は左右一方側に手を入れることが可能な空間（Ｈ）を形成したことを特徴とする。
【００１１】
さらに、請求項３に係る発明は、前記蹴込板下地（５３）を、前記踏板下地（５１）の略中央部に設けたことを特徴とする。
【００１２】
また、本発明の請求項４に記載の仮設兼用階段の施工方法は、仮設階段設置時には、傾斜配置された一対の平行な側板（５０，５０）の上部に、予め鋸歯状に切り欠くことによって段状に形成された水平面（５０ａ）と鉛直面（５０ｂ）のうち、前記水平面（５０ａ）に対して、踏板下地（５１）を固定するとともに、前記鉛直面（５０ｂ）に対して、上下に隣接する前記踏板下地（５１，５１）の間に、下部前面に切り欠き（５３ｍ）が形成された蹴込板下地（５３）のその切り欠き（５３ｍ）に前記踏板下地（５１）の後面側を嵌め込んで前記踏板下地（５１）と一体的に強固に固定し前記踏板下地（５１）と前記蹴込板下地（５３）を完全一体化させ、
階段設置時には、踏板化粧材（５２）を前記踏板下地（５１）の上面に重ね合わせて固定するとともに、蹴込板化粧材（５５）を前記蹴込板下地（５３）の前面に重ね合わせて固定することを特徴とする。
【００１３】
また、請求項５に係る発明は、前記踏板下地（５１）の後端部に前記蹴込板下地（５３）の下端部を固定して略Ｌ字状にした踏板・蹴込ユニットを予め複数製作し、前記仮設階段設置時、前記踏板・蹴込ユニットを階段の下方から上方に順次、組付けるようにして施工することを特徴とする。
【００１４】
なお、本発明において、踏板化粧材と蹴込板化粧材はそれぞれ別体のものに限定されるものではなく、連続シート状の化粧材を使用したもの、例えば、いわゆるカーペット階段と呼ばれるような、カーペットを踏板下地と蹴込板下地の上に連続して貼り付けた一体ものであってもよい。
【００１５】
なお、括弧内の記号は、図面および後述する発明を実施するための形態に掲載された対応要素または対応事項を示す。
【発明の効果】
【００１６】
本発明によれば、階段の下地材として、上下に隣接する踏板下地の間に蹴込板下地を強固に固定して、踏板下地と蹴込板下地を一体的にしたものを使用するので、軋み音の発生を軽減することができる。しかも下地には、塗装は行われないので、接着剤を使用した場合に十分な接着強度が得られる。
その上、踏板下地と蹴込板下地を一体的に強固に固定したものは、仮設階段として使用され、階段設置時に、踏板化粧材と蹴込板化粧材を、踏板下地の上面と蹴込板下地の前面に重ね合わせるだけで下地材に付いた傷や汚れは覆い隠されるので外観が損なわれることはないし、段ボールや合板などの養生材を使用する必要もない。また、養生材設置に伴う手間は一切不要となり、さらに不適切な養生テープの使用による踏板化粧材の破損など養生材自体に起因する問題もない。
また、踏板下地と蹴込板下地は完全一体化されているので、踏板下地に荷重が作用するとその力は、上下の蹴込板下地に分散され、撓みを極めて抑えることができる。特に住宅を新築するときには、その工事中に重量物を運搬することが多くなるが、高い安全性を確保することができる。
【００１７】
また、本発明によれば、蹴込板下地の横幅を、踏板下地の横幅よりも狭くし、蹴込板下地を、踏板下地の略中央部に設けたので、蹴込板下地側に空間が形成される。
これによれば、材料（蹴込板下地）の有効利用が図れるとともに、階段の表側からその空間に手を入れ、裏側に設けられた、例えば照明器具の配線などを、特に階段の裏側に回ることなく検査することができる。また、階段の裏面側から踏板下地や蹴込板下地の施工作業が不要になる。さらに、蹴込板下地を取付ける際に位置ずれが生じた場合には、隙間を利用して微調整することも簡単に行うことができる。
【００１８】
このように、階段の下地として、踏板下地と蹴込板下地を一体的に強固に固定したものや、それらを仮設階段として兼用できるようにしたものは、従来例として示した特許文献には一切記載されていない。
【図面の簡単な説明】
【００１９】
【図１】本発明の実施形態に係る仮設兼用階段を部分的に示す斜視図である。
【図２】図１の階段の施工方法を示す斜視図である。
【図３】本発明の実施形態に係る仮設兼用階段を示す断面図である。
【図４】従来例に係る階段構造を部分的に示す斜視図である。
【図５】図４に示す階段で軋み音の発生状態を示す拡大断面図である。
【図６】従来例に係る別の階段構造を示す断面図である。
【図７】階段の裏面からの作業状態を示す側面図である。
【図８】階段の表面（上面）からの作業状態を示す側面図である。
【発明を実施するための形態】
【００２０】
図１乃至図３を参照して、本発明の実施形態に係る仮設兼用階段について説明する。図１は仮設兼用階段を部分的に示す斜視図，図２は施工方法を示す斜視図，図３は断面図である。なお、図１及び図２では、後述する踏板化粧材５２及び蹴込板化粧材５５を省いた状態を示している。
【００２１】
本発明の実施形態の仮設兼用階段は、図１乃至図３に示すように、傾斜配置された一対の平行なささら桁（側板）５０，５０の上部に、予め鋸歯状に切り欠くことによって段状に交互に形成された複数対の水平面５０ａと鉛直面５０ｂのうち、水平面５０ａに対して、仮設階段の踏板部として使用可能に固定される踏板下地５１と、鉛直面５０ｂに対して、仮設階段の蹴込部として使用可能で、上下に隣接する踏板下地５１，５１の間に、踏板下地５１と一体的に強固に固定される蹴込板下地５３と、踏板下地５１の上面に重ね合わされ固定される踏板化粧材５２と及び、蹴込板下地５３の前面に重ね合わされ固定される蹴込板化粧材５５からなる。
踏板下地５１と蹴込板下地５３は、ともに木質材料からなるものである。
なお、踏板化粧材５２と蹴込板化粧材５５はそれぞれ別体のものに限定されるものではなく、連続シート状の化粧材を使用したもの、例えば、いわゆるカーペット階段と呼ばれるような、カーペットを踏板下地５１と蹴込板下地５３の上に連続して貼り付けた一体ものであってもよい。
【００２２】
踏板下地５１は、従来の仮設兼用階段で使用される踏板下地と同様に、矩形状の板材であり、その板厚は、踏板化粧材５２の厚さよりも厚く、１５ｍｍ（ミリメートル）以上、できれば２４ｍｍ（ミリメートル）以上であることが好ましい。本実施形態では、２４ｍｍ（ミリメートル）の厚さの踏板下地５１を使用した。
【００２３】
踏板化粧材５２は、踏板下地５１の平面形状に対応した平面部５２ａと平面部５２ａの蹴込部側から下方に突出した覆い部５２ｂからなり、階段設置時に、平面部５２ａを対応する形状の踏板下地５１の上面に重ね合わされるようにして固定される。このとき、踏板化粧材５２の覆い部５２ｂは、図３に示すように、踏板下地５１の前面に固定される蹴込板化粧材５５の上部を踏板下地５１との間で挟み込むように当接している。
【００２４】
また、蹴込板下地５３は矩形状の板材であり、その横幅は、踏板下地５１の横幅よりも狭く、階段として最も撓み易い踏板下地５１の略中央部に設けられ補強が図られている。これにより、蹴込板下地５３の左右両側（ささら桁（側板）５０，５０側）には空間Ｈが形成される。本実施形態では、蹴込板下地５３の横幅を踏板下地５１の横幅の１／２程度とした。
蹴込板下地５３の下部前面には切り欠き５３ｍが形成され、その切り欠き５３ｍに踏板下地５１の後面側が嵌め込まれた後、木ネジ５９で強固に固定される。また、蹴込板下地５３の上面は、踏板下地５１の前面下部に当接させられた後、木ネジ５９で強固に固定される。なお、木ネジ５９は、一本だけでなく二本を並列して使用したり、木ネジ５９での固定に接着剤による固定を併用することもできるし、強力な接着剤を使用すれば木ネジ５９の使用は不要になる。また、切り欠き５３ｍの形状についてはフィンガージョイントなど様々の態様のものが考えられ、踏板下地５１と蹴込板下地５３が強固に固定されるものであればよい。
【００２５】
このとき、蹴込板下地５３の厚さＳは、蹴込板化粧材５５の厚さＴよりも厚く、１５ｍｍ（ミリメートル）以上、できれば２４ｍｍ（ミリメートル）以上であることが好ましい。本実施形態では、２４ｍｍ（ミリメートル）の厚さの蹴込板下地５３を使用した。
【００２６】
また、蹴込板化粧材５５は、上下に隣接する踏板下地５１，５１間を隙間なく覆う矩形状の板材であり、蹴込板下地５３の前面から重ねられて固定される。
【００２７】
施工に当たっては、図２に示すように、蹴込板下地５３の下部前面に形成された切り欠き５３ｍに踏板下地５１の後面側が嵌め込まれ、木ネジ５９で踏板下地５１に蹴込板下地５３が固定されたＬ型の踏板・蹴込ユニットを階段の下方から上方に対応するように製造する。なお、一番下側の踏板下地５１と蹴込板下地５３からなるユニットの前面下部にはさらに蹴込板下地５３を固定してＺ型の踏板・蹴込ユニットとする。
【００２８】
そして、踏板・蹴込ユニットを階段の下方から上方に順次、予め傾斜配置された一対の平行なささら桁（側板）５０，５０の上部に形成された水平面５０ａと鉛直面５０ｂに取付けるようにして施工していき、最上段（最後）のユニットの固定が完了すると、仮設階段が完成する。仮設階段は、図１の状態で工事最終段階までは、作業通路として使用可能である。
この期間中、基本的に養生材は施工しないが、多少の汚れや傷が付いても、後述のように、踏板化粧材５２及び蹴込板化粧材５５を施工によって完全に隠蔽できるので問題ない。
工事最終段階に至って、図３に示したように、踏板化粧材５２及び蹴込板化粧材５５を踏板下地５１及び蹴込板下地５３の上から重ねて貼着すれば、階段として完成する。これらの化粧部材に関しては、特に構造を限定するものでは無い。
踏板化粧材５２及び蹴込板化粧材５５の踏板下地５１及び蹴込板下地５３上への貼着は、通常は工事の最終段階で実施するが、大量の大型の荷物が搬入される入居者の引越しが終了した段階で施工するようにすれば、一層安心である。
【００２９】
このように構成された階段構造によれば、階段の下地材として、上下に隣接する踏板下地５１の間に蹴込板下地５３を強固に固定して、踏板下地５１と蹴込板下地５３を一体的にしたものを使用し、蹴込板下地５３の厚さＳを蹴込板化粧材５５の厚さＴよりも厚くしたので、軋み音の発生を軽減することができる。しかも下地となる踏板下地５１及び蹴込板下地５３には、塗装は行われないので、接着剤を使用した場合に十分な接着強度が得られる。
その上、踏板下地５１と蹴込板下地５３を一体的に強固に固定したものを、ただの下地材としてだけでなく、仮設階段としても使用することができようにしたので、階段設置時に、踏板化粧材５２と蹴込板化粧材５５を踏板下地５１の上面と蹴込板下地５３の前面に重ね合わせるだけで下地材に付いた傷や汚れは覆われ隠されるので外観が損なわれることはないし、段ボールや合板などの養生材を使用する必要もない。また、養生材設置に伴う手間は一切不要となり、さらに不適切な養生テープの使用による踏板化粧材５２の破損など養生材自体に起因する問題もない。
また、踏板下地５１と蹴込板下地５３は完全一体化されているので、踏板下地５１に荷重が作用するとその力は、上下の蹴込板下地５３に分散され、撓みを極めて抑えることができる。特に住宅を新築するときには、その工事中に重量物を運搬することが多くなるが、高い安全性を確保することができる。
【００３０】
また、蹴込板下地５３の横幅を、踏板下地５１の横幅よりも狭くし、蹴込板下地５３を、踏板下地５１の略中央部に設けたので、蹴込板下地５３の左右両側に空間Ｈが形成される。
これによれば、材料（蹴込板下地）の有効利用が図れるとともに、階段の表側からその空間に手を入れ、裏側に設けられた、例えば照明器具の配線などを、特に階段の裏側に回ることなく検査することができる。また、図７に示すような、階段の裏面側から踏板下地５１や蹴込板下地５３の施工作業が不要になり、図８に示すように、すべて階段の表面（上面）からの作業となるので作業性が良好である。さらに、蹴込板下地５１を取付ける際に位置ずれが生じた場合には、形成された空間Ｈを利用して微調整することも簡単に行うことができる。
【００３１】
なお、上述した本実施形態例では、蹴込板下地５３の横幅を、踏板下地５１の横幅よりも狭くして踏板下地５１の略中央部に設けるようにしたが、蹴込板下地５３の横幅は様々なサイズにすることができ、例えば、踏板下地５１と同じ横幅にすることもできる。さらに、一枚の板状のものに中空穴を形成することもできる。例えば、一枚の板状のものに大きな中空穴を形成した場合には、蹴込板下地５３の左右両側に形成された空間Ｈと同様に、手を入れての作業も可能となる。要は、蹴込板下地５３は、上下の踏板下地５１，５１と一体的に強固に固定されていればよい。
【符号の説明】
【００３２】
１０      踏板
１０Ｚ    溝
１１      蹴込板
１５      撓み
１６      塗装
１７      座屈
１８      隙間
１９      隠蔽材
５０      ささら桁（側板）
５０ａ    水平面
５０ｂ    鉛直面
５１      踏板下地
５２      踏板化粧材
５２ａ    平面部
５２ｂ    覆い部
５３      蹴込板下地
５３ｍ    切り欠き
５５      蹴込板化粧材
５９      木ネジ
１００      歩行者
２００      作業員
２０１      脚立
Ｈ      空間
Ｎ      釘
【図１】
0005986385.tif 000002
【図２】
0005986385.tif 000003
【図３】
0005986385.tif 000004
【図４】
0005986385.tif 000005
【図５】
0005986385.tif 000006
【図６】
0005986385.tif 000007
【図７】
0005986385.tif 000008
【図８】
0005986385.tif 000009